(57)【要約】      （修正有）【課題】奥行き方向の取り付け寸法を抑制することが可能なカードキー装置を提供する。【解決手段】カードキー１を内部ユニット４に差し込んでタンブラ部材を駆動させるとき、内部ユニット４を、閂部材９が外部ケース３から出っ張る施錠位置と、外部ケース３内に没する解錠位置との間をスライドさせ、閂部材９を内部ユニット４と連動して施解錠操作を行う。また、内部ユニット４は外部ケース３に対して着脱自在に収納され、カードキーを変換用カードキー５で形成し、この変換用カードキー５を施錠位置にある内部ユニット４に差し込むことにより、内部ユニット４を解錠位置へスライドさせ、かつ、この解錠位置において内部ユニット４を変換用カードキー５が差し込まれた状態で、外部ケース３から取り外す。【選択図】図２
2010203106.tif 000002
【特許請求の範囲】
【請求項１】
カードキーの差し込みにより揺動駆動する複数のタンブラ部材が内部ケースに配置されて成る内部ユニットを、外部ケースに対して、前記カードキーの差し込み方向とほぼ直交する方向にスライド可能に収納すると共に、前記内部ユニットに前記外部ケースから出没自在な閂部材を設けるカードキー装置であって、
前記カードキーを前記内部ユニットに差し込んで前記タンブラ部材を駆動させるとき、前記内部ユニットを、前記閂部材が前記外部ケースから出っ張る施錠位置と、前記外部ケース内に没する解錠位置との間をスライドさせることにより、前記閂部材が前記内部ユニットに連動して施解錠操作されることを特徴とする、
カードキー装置。
【請求項２】
前記内部ユニットは前記外部ケースに対して着脱自在に収納され、
前記カードキーを変換用カードキーで形成し、この変換用カードキーを施錠位置にある前記内部ユニットに差し込むことにより、前記内部ユニットを前記解錠位置へスライドさせ、かつ、この解錠位置において前記内部ユニットを前記変換用カードキーが差し込まれた状態で、前記外部ケースから取り外されることを特徴とする、
請求項１に記載のカードキー装置。
【請求項３】
外部ケースと、
前記外部ケースに脱着自在に収納され前記外部ケースの長手方向に沿ってスライド可能に設けた内部ケースおよび前記内部ケースに前記長手方向に沿うタンブラ軸に積層枢支された複数のタンブラ部材で形成される内部ユニットと、
前記内部ユニットに設けられ該内部ユニットに連動して前記外部ケースから出没自在な閂部材と、
前記内部ユニットに前記長手方向とほぼ直交する方向に設けられる差し込み路と、
前記差し込み路に抜き差し自在に形成されるカードキーと、を具備し、
前記差し込み路に前記カードキーを差し込んで前記タンブラ部材を駆動し、かつ、前記内部ユニットを前記カードキーと一体となってスライドさせることにより、前記閂部材が、前記外部ケースから外部へ出っ張る施錠位置と、前記外部ケース内へ没する解錠位置との間に亘って変位するように構成されたことを特徴とする、
カードキー装置。
【請求項４】
前記カードキーは、施解錠用カードキーとして形成され、
前記タンブラ部材を、前記施解錠用カードキーで駆動される施解錠用タンブラで形成し、  前記内部ケースに前記タンブラ部材を弾性付勢させるバネ部材を担持し、
前記外部ケースに前記バネ部材の付勢力で常時付勢される前記施解錠用タンブラを弾接させる判定部を設け、
前記施解錠用カードキーの非差し込み時、前記施解錠用タンブラはバネ部材の付勢力により前記判定部に干渉して前記内部ユニットのスライドを拘束するが、前記施解錠用カードキーの差し込み時、前記施解錠用タンブラを前記バネ部材の付勢力に抗して駆動させることにより、前記施解錠用タンブラが前記判定部から強制的に解脱され、前記内部ユニットのスライドが許容されることを特徴とする、
請求項３に記載のカードキー装置。
【請求項５】
前記カードキーは、変換用カードキーとして形成され、
前記タンブラ部材の一部分は、前記タンブラ軸に枢支される変換用タンブラで形成され、  前記変換用タンブラを、前記バネ部材により前記外部ケースに設けたスライド用レール部に係合するように付勢させ、
前記変換用カードキーの非差し込み時、前記変換用タンブラは前記スライド用レール部に係合して、前記内部ユニットが前記外部ケースから引き抜かれるのを阻止されるが、前記内部ユニットのスライドは許容せしめられる一方で、前記変換用カードキーの差し込み時には、前記施解錠用タンブラおよび前記変換用タンブラを前記バネ部材の付勢力に抗して揺動させることにより、前記施解錠用タンブラは前記判定部から解脱し、かつ、前記変換用タンブラは前記スライド用レール部から強制的に解脱され、前記内部ユニットが外部ケースから引き抜かれるのを可能とすることを特徴とする、
請求項４に記載のカードキー装置。
【請求項６】
前記内部ユニットが前記外部ケースから引き抜かれた後に、前記変換用カードキーを差し込んだ前記内部ユニットとは異なる新しい内部ユニットを前記外部ケースに差し込めるように構成されたことを特徴とする、
請求項２または５に記載のカードキー装置。
【請求項７】
前記外部ケースに設けられる前記判定部は、前記スライド方向にほぼ直交して陥没する凹条溝であることを特徴とする、
請求項４〜６のいずれかに記載のカードキー装置。
【請求項８】
前記内部ケースに設けられる前記タンブラ軸を平行配置した二本のタンブラ軸で形成し、前記各タンブラ軸に、前記タンブラ部材を交互に配置して枢支したことを特徴とする、
請求項４〜７のいずれかに記載のカードキー装置。
【発明の詳細な説明】
【技術分野】
【０００１】
本発明は、例えば、オフィス向けの机、ワゴン、ロッカー、キャビネット等に使用される収納装置の施解錠機構におけるカードキー装置に係り、殊に板状のタンブラ部材(ディスクタンブラ)を使用し、その配置を工夫することで、奥行き方向の寸法を抑制し、使用状態においてスマート感覚にあふれ、かつデザイン面でも優れた機能美を有するカードキー装置に関する。
【背景技術】
【０００２】
従来のキー装置は、金属製のキーブランクを使用し、外筒内に設けた内筒としてのシリンダを回転させることにより施解錠する構造であった。このキー装置では、キーの差し込み方向、すなわち奥行き方向に寸法が長くなり、キー装置の取り付けスペースが小さいと、キー装置を取り付けるのが困難となり、取り付けに制約があった。
【０００３】
従来、カードキー装置として、例えば特許文献１〜３に記載された技術が知られている。これら技術は、カードキーを錠本体に抜き差しして使用することで、錠装置を施解錠する構成のものである。また、カードキーを用いて内筒を交換可能に構成した技術として特許文献４の技術が公知である。
【先行技術文献】
【特許文献】
【０００４】
【特許文献１】特開平８−１３８６６号公報
【特許文献２】特開昭５８−１２３９８０号公報
【特許文献３】特開平４−２６３８８号公報
【特許文献４】実用新案登録第３０５９４９６号公報
【発明の概要】
【発明が解決しようとする課題】
【０００５】
しかしながら、上記特許文献１のカードキーシステムにあっては、本体ケースの鍵片挿通空隙部にカードキーを抜き差しするだけで錠の施解錠を行う構成であるため、本体ケースの奥行き寸法が大きくなる。その結果、本体ケースはその奥行き方向に大型化し、カードキーシステムを取り付けるスペースが大きくなる問題がある。特許文献２および特許文献３の技術に使用されるタンブラはディスク型ではなく、逆Ｔ字型形状のタンブラである。これによりタンブラの両側からカードキーを抜き差しすることで施解錠を行うため、カードキー装置自体の外形寸法が大型化する問題がある。さらに、特許文献４はキー孔に内筒交換キーを差し込んで内筒を外筒から抜き出して交換できる構成ではあるが、開示された技術はシリンダ錠をベースにした技術であり、キーをスライドさせて施解錠を行うシステムにはなっておらず、スマート感のあるデザイン性に劣る問題がある。このように、上記の各特許文献に記載された技術では、取り付けスペースの制約を考慮したカードキー装置に関する開示はない。
【０００６】
本発明は、このような従来の問題点を解決するためになされたものであって、板状のタンブラ部材を使用し、その配置を工夫することで、奥行き方向の寸法を抑制し、デザイン面においてもスマート感ある優れた機能美を有するカードキー装置を提供することを目的とする。
【課題を解決するための手段】
【０００７】
（１）本発明は、カードキーの差し込みにより揺動駆動する複数の板状タンブラ部材が内部ケースに配置されて成る内部ユニットを、外部ケースに対して、前記カードキーの差し込み方向とほぼ直交する方向にスライドさせるように収納すると共に、前記内部ユニットに前記外部ケースから出没自在な閂部材を設けるカードキー装置であって、前記カードキーを前記内部ユニットに差し込んで前記タンブラ部材を駆動させるとき、前記内部ユニットを、前記閂部材が前記外部ケースから出っ張る施錠位置と、前記外部ケース内に没する解錠位置との間をスライドさせることにより、前記閂部材が前記内部ユニットに連動して施解錠操作されることを特徴とするカードキー装置である。
【０００８】
本発明によれば、外部ケースに対して施錠または解錠位置にある内部ユニットに、カードキーを差し込む(挿入する)と、タンブラ部材は揺動駆動する。これにより、それまで外部ケースのタンブラ部材に対する拘束力が解放される。このため、カードキーを把持しながら内部ユニットを解錠または施錠位置へスライドできる。すなわち、解錠位置では閂部材は外部ケース内へ没して解錠がなされ、施錠位置では閂部材は外部ケースから出っ張り、錠前を施錠する。施解錠操作が終えた後は、カードキーを内部ユニットから引き抜く。これにより、施解錠操作した状態が維持される。
【０００９】
このように、施解錠操作を行う場合には、カードキーを内部ユニットに差し込んだ状態で内部ユニットを外部ケースに対してスライドさせるだけの簡単な操作で、閂部材を外部ケースから出没させ、施解錠操作を行うことができる。これにより、例えば、机、ワゴン、ロッカー、キャビネット等に装備される本カードキー装置の施解錠操作を容易に行えるようになる。
【００１０】
（２）本発明はまた、前記内部ユニットは前記外部ケースに対して着脱自在に収納され、前記カードキーを変換用カードキーで形成し、この変換用カードキーを施錠位置にある前記内部ユニットに差し込むことにより、前記内部ユニットを前記解錠位置へスライドさせ、かつ、この解錠位置において前記内部ユニットを前記変換用カードキーが差し込まれた状態で、前記外部ケースから取り外しできることを特徴とする前記(１)記載のカードキー装置である。
【００１１】
本発明によれば、施錠状態の位置にある内部ユニットに変換用カードキーを差し込むことで、タンブラ手段はスライド可能な状態に駆動される。これと同時に、それまで内部ユニットが外部ケースから離脱するのを拘束していた拘束力が解放される。変換用カードキーには施解錠用カードキーと同様に内部ユニットをスライドさせる機能を有するので、変換用カードキーと共に内部ユニットは解錠位置までスライドできる。内部ユニットが解錠位置までスライドされてくると、閂部材を外部ケース内に残した状態で、内部ユニットを外部ケースに拘束されることなく取り出しできる。
【００１２】
（３）本発明はまた、外部ケースと、前記外部ケースに脱着自在に収納され前記外部ケースの長手方向に沿ってスライド可能に設けた内部ケースおよび前記内部ケースに前記長手方向に沿うタンブラ軸に積層枢支された複数のタンブラ部材で形成される内部ユニットと、前記内部ユニットに設けられ該内部ユニットに連動して前記外部ケースから出没自在な閂部材と、前記内部ユニットに前記長手方向とほぼ直交する方向に設けられる差し込み路と、前記差し込み路に抜き差し自在に形成されるカードキーとを具備し、前記差し込み路に前記カードキーを差し込んで前記タンブラ部材を駆動し、かつ、前記内部ユニットを前記カードキーと一体となってスライドさせることにより、前記閂部材が、前記外部ケースから外部へ出っ張る施錠位置と、外部ケース内へ没する解錠位置との間に亘って変位するように構成されたことを特徴とする、カードキー装置である。
【００１３】
本発明によれば、内部ユニットとタンブラ部材とで形成される内部ユニットが施錠位置または解錠位置にあるとき、内部ユニットの差し込み路にカードキーを差し込む(挿入する)ことで、タンブラ部材がタンブラ軸を中心に揺動駆動される。これにより、内部ユニットはカードキーと共に外部ケースに対して解錠位置と施錠位置との間をスライドする。この結果、解錠位置では、閂部材は外部ケースの内部に没し、施錠位置では、外部ケースから外部へ出っ張ることで施解錠操作が行われるようになる。
【００１４】
(４)本発明はまた、前記カードキーは、施解錠用カードキーとして形成され、前記タンブラ部材を、前記施解錠用カードキーで駆動される施解錠用タンブラで形成し、前記内部ケースに前記タンブラ部材を弾性付勢させるバネ部材を担持し、前記外部ケースに前記バネ部材の付勢力で常時付勢される前記施解錠用タンブラを弾接させる判定部を設け、前記施解錠カードキーの非差し込み時、前記施解錠用タンブラはバネ部材の付勢力により前記判定部に干渉して内部ユニットのスライドを拘束するが、前記施解錠用カードキーの差し込み時、前記施解錠用タンブラを前記バネ部材の付勢力に抗して駆動させることにより、前記施解錠用タンブラが前記判定部から強制的に解脱され、前記内部ユニットのスライドが許容されることを特徴とする、前記(３)記載のカードキー装置である。
【００１５】
本発明によれば、施錠用カードキーが差し込み路に差し込まれない状態では、施解錠用タンブラはバネ部材に付勢されて外部ケースに設けた判定部に干渉する。このため、内部ユニットの外部ケースに対するスライドが拘束され、カードキー装置の施解錠は行われない。一方、施解錠用カードキーを差し込み路に差し込む(挿入する)と、施解錠用タンブラはバネ部材の付勢力に抗してタンブラ軸を中心に強制的に揺動駆動される。これにより、施解錠用タンブラは判定部との干渉から解放される状態へ揺動し、内部ユニットはスライド可能な状態となる。この結果、カードキーを施錠位置から解錠位置へ、または解錠位置から施錠位置へとスライドして閂部材を施解錠操作できるようになる。
【００１６】
(５)本発明はまた、前記カードキーは、変換用カードキーとして形成され、前記タンブラ部材の一部分は、前記タンブラ軸に枢支される板状の変換用タンブラで形成され、前記変換用タンブラを、前記バネ部材により前記外部ケースに設けたスライド用レール部に係合するように付勢させ、前記変換用カードキーの非差し込み時、前記変換用タンブラは前記スライド用レール部に係合して、内部ユニットが外部ケースから引き抜かれるのを阻止されるが、前記内部ユニットのスライドは許容せしめられる一方で、前記変換用カードキーの差し込み時には、前記施解錠用タンブラおよび前記変換用タンブラを前記バネ部材の付勢力に抗して揺動させることにより、前記施解錠用タンブラは前記判定部から解脱し、かつ、前記変換用タンブラは前記スライド用レール部から強制的に解脱され、前記内部ユニットが外部ケースから引き抜かれるのを可能とする前記(４)記載のカードキー装置である。
【００１７】
本発明によれば、変換用カードキーを差し込み路に挿入しない状態では、変換用タンブラはスライド用レール部に係合しているので、内部ユニットを外部ケースから引き抜くことはできない。また、この状態では施解錠用タンブラは判定部に弾接するので、内部ユニットのスライドは阻止される。このため、内部ユニットを施錠または解錠位置へスライドして施解錠できない。一方、変換用カードキーを差し込み路に挿入した場合には、施解錠用タンブラおよび変換用タンブラは変換用カードキーによりバネ部材の付勢力に抗して揺動される。これにより、施解錠用タンブラについては、それまで判定部に干渉(係合)していた施解錠用タンブラが解脱(離脱)し、内部ユニットの外部ケースに対するスライドを可能な状態とする。変換用タンブラについては、それまでスライド用レール部に弾接(係合)していた変換用タンブラが該レール部から強制的に解脱し、内部ユニットが外部ケースから引き抜かれるのを可能な状態とする。そして、この状態から変換用カードキーを施錠位置から解錠位置へスライドさせると、閂部材を外部ケース内に残した状態で内部ユニットを変換用カードキーと一体に外部ケースから引き抜くことができるようになる。
【００１８】
(６)本発明はまた、前記内部ユニットが外部ケースから引き抜かれた後に、前記変換用カードキーを差し込んだ前記内部ユニットとは異なる新しい内部ユニットを前記外部ケースに差し込めるように構成されたことを特徴とする、前記（２）または（５）に記載のカードキー装置である。
【００１９】
本発明によれば、カードキー装置の解錠位置において、変換用カードキーと一体に内部ユニットを外部ケースから取り出した後に、別の新たな変換用カードキーが差し込まれた内部ユニットを装填して交換することにより、新しいカードキーによる施解錠操作が可能となる。その結果、カードキー装置のセキュリティを維持しながら、オフィス向けの机、ワゴン、ロッカー、キャビネット等の収納装置を多くのユーザが効率的に利用しうるようになる。
【００２０】
(７)本発明はまた、前記外部ケースに設けられる前記判定部は、前記スライド方向にほぼ直交して陥没する凹条溝であることを特徴とする前記(４)〜(６)のいずれかに記載のカードキー装置である。
【００２１】
本発明によれば、スライド方向に沿って積層配列されるタンブラ部材に応じて設けられる判定部としての凹状溝が、スライド方向とはほぼ直交する方向に形成されている。このため、タンブラ部材が凹状溝に嵌り込んで弾接している場合には、内部ユニットのスライドが不用意に惹起されないので確実なセキュリティを得ることができるようになる。
【００２２】
(８)本発明はまた、前記内部ケースに設けられる前記タンブラ軸を平行配置した二本のタンブラ軸で形成し、前記各タンブラ軸に、前記タンブラ部材をタンブラ軸を交互に配置して枢支したことを特徴とする、前記(４)〜(７)のいずれかに記載のカードキー装置である。
【００２３】
本発明によれば、二本のタンブラ軸にタンブラ部材を交互に配置して、スライド方向に積層配置されるタンブラ部材の数を増やすことができる。これにより、カードキー装置のセキュリティ性を高められるようになる。
【００２４】
(９)本発明はまた、前記バネ部材は、スライド方向に伸びる基部と、該基部の両側に伸びる枝部とを有する肋骨形状の板バネで形成され、前記交互に配置される前記タンブラ部材を前記枝部に弾接させることを特徴とする、前記(４)〜(８)のいずれかに記載のカードキー装置である。
【００２５】
本発明によれば、板バネを１本の部材で形成するので、部品点数の削減を図り、構成をシンプルにできるようになる。
【００２６】
(１０)本発明はまた、前記タンブラ軸に、前記施解錠用タンブラまたは前記変換用タンブラとは別に、前記判別部に干渉しない０番タンブラを枢支したことを特徴とする、前記(４)〜(９)のいずれかに記載のカードキー装置である。
【００２７】
本発明によれば、外部ケース、具体的には判定部に対しては何の干渉(係脱)もしない０番タンブラを設けることで、施解錠用タンブラや変換用タンブラが枢支される位置をわからないようにすることができる。これにより、カードキー装置のセキュリティ性を高めることができるようになる。
【００２８】
(１１)本発明はまた、前記カードキーをアクリル、ウレタンポリマー等の合成樹脂材で成形されることを特徴とする、前記(１)〜(１０)のいずれかに記載のカードキー装置である。
【００２９】
本発明によれば、施解錠用カードキーや変換用カードキーを合成樹脂材を用いて成形しているので、カードキーを例えば、色つきの透明にすることで、自己と他者とのカードキーの識別が容易で、ソフトタッチの斬新なデザイン性を有するカードキー装置を得ることができるようになる。
【発明の効果】
【００３０】
本発明によれば、部品点数が少なく、構成がシンプルで、奥行き長さが小さな取り付けスペースによる制約を受けることなく取り付けることができ、スライド方式の施解錠操作によりセキュリティ性に優れ、デザイン面においてもスマート感覚あふれた機能美を有するカードキー装置を得ることができる。
【図面の簡単な説明】
【００３１】
【図１】本発明の実施形態に係るカードキー装置の外観図である。
【図２】同じく、(ａ)は施錠位置でカードキーを挿入した状態におけるカードキー装置の外観図、(ｂ)はカードキーを解錠位置に挿入した状態における外観図、(ｃ)は変換用カードキーを挿入したまま内部ケースを取り出した状態を示す外観図である。
【図３】同じく、外部ケースのケースに係り、(ａ)はケースの外観図、(ｂ)はケースを裏返しにした状態を示す外観図である。
【図４】同じく、外部ケースのカバーに係り、(ａ)はカバーの外観図、(ｂ)はカバーを裏返しにした外観図、(ｃ)は(ａ)のＢ−Ｂ線における矢視縦断面図、(ｄ)はＣ−Ｃ線における矢視縦断面図である。
【図５】同じく、(ａ)は内部ケースの外観図、(ｂ)は内部ケースを裏返しにした外観図、(ｃ)は板バネの外観図、(ｄ)は板バネの平面図、(ｅ)は板バネの側面図、(ｆ)は閂部材の外観図である。
【図６】同じく、タンブラ部材に係り、(ａ)は１番山用タンブラの側面図、(ｂ)は２番山用タンブラの側面図、(ｃ)は０番タンブラの側面図、(ｄ)は変換用タンブラの側面図である。
【図７】同じく、(ａ)はカードキー装置における(ｂ)のＡ−Ａ線における矢視平断面図、(ｂ)はカードキー装置の正面図、(ｃ)は(ｂ)のＢ−Ｂ線における矢視横断面図、(ｄ)はＣ−Ｃ線における矢視横断面図である。
【図８】同じく、１番山用タンブラを組み込んだカードキー装置の作用を説明する横断面図である。
【図９】同じく、２番山用タンブラを組み込んだカードキー装置の作用を説明する横断面図である。
【図１０】同じく、０番タンブラを組み込んだカードキー装置の作用を説明する横断面図である。
【図１１】同じく、(ａ)はカードキー装置の正面外観図、(ｂ)および(ｃ)は変換用タンブラを組み込んだカードキー装置の作用を説明する横断面図である。
【図１２】同じく、（ａ）は施解錠用カードキーの平面図、(ｂ)は変換用カードキーの平面図である。
【発明を実施するための形態】
【００３２】
以下、本発明のカードキー装置に係る実施形態を図に基づいて詳述する。カードキー装置の構成要素を説明する前に、カードキー装置の概要構成を使用態様と共に簡略に説明する。なお、本実施形態に使用されるカードキーとしては、施解錠用カードキーと変換用カードキーの二種類があるが、断りのない限り単に「カードキー」と称するときは、「施解錠用カードキー」を指すものとする。
【００３３】
図１は上記カードキー１をカードキー装置本体２に差し込む(挿入する)直前の状態を示す外観図、図２(ａ)は施錠位置にあるカードキー装置本体２にカードキー１を挿入した状態を示す外観図、同図(ｂ)はカードキー１を施錠位置から解錠位置へスライドさせた状態を示す外観図、同図(ｃ)は外部ケース３から内部ユニット４を変換用カードキー５と一体に引き抜かれた状態を示す外観図である。
【００３４】
カードキー装置本体２はほぼ箱状の外部ケース３と、この外部ケース３に着脱自在に収納される内部ユニット４とからなる。内部ユニット４は内部ケース７と、この内部ケース７に組み込まれた複数の板状タンブラ部材６等とから成る。内部ユニット４は外部ケース３の図１に示す長手方向Ｌ、すなわち、図２(ａ)の矢印Ａまたはその反対方向へスライドするように収納される。こうしてカードキー装置本体２は例えば不図示の机の引き出し前面部位に装設され、内部ケース７の前面にカードキー１や変換用カードキー５が図２(ｃ)の矢印Ｂまたはその反対方向へ抜き差し口８(挿入口)に抜き差しできるようになっている。外部ケース３には内部ユニット４のスライドに連動して図２(ａ)の矢印Ｃまたはその反対方向へ出没する閂部材(デッドボルト)９が収容される。
【００３５】
以上のように概要構成を有するカードキー装置において、図１に示す施錠状態から解錠操作を行うときは、カードキー１を図２(ａ)のように抜き差し口８に挿入する。その状態から図２(ｂ)に示す解錠位置まで矢印Ａ方向へ内部ユニット４をスライドさせる。これにより、それまで出っ張っていた閂部材９は外部ケース３内部へ没入し、相手側の不図示の錠前から解脱し、解錠が行われる。こうして、引き出しを開けることができる。引き出しを締めてロック(施錠)する場合には、上記と逆の操作、換言するとカードキー１を内部ユニット４と共に矢印Ａと反対方向へスライドさせる。これにより、閂部材９が内部ユニット４から出っ張り、錠前との間で施錠が行われる。
【００３６】
図２(ｃ)のように内部ユニット４を外部ケース３から取り出す場合には、カードキー１にはない変換用キー溝を有する変換用カードキー５を使用して、図１に示す施錠位置にある内部ユニット４に挿入する。挿入された変換用カードキー５を図２(ａ)と同じ状態から矢印Ａ方向へスライドさせる。内部ユニット４が解錠位置までスライドさせることで解錠操作が行われると同時に、外部ケース３と閂部材９を取り残して内部ユニット４を矢印Ｂ方向へ取り出すことができる。これにより、別の変換用カードキーを差し込んだ内部ユニット４が外部ケース３に装着し、新たなカードキー１および変換用カードキーによる施解錠操作が可能となる。
【００３７】
＜外部ケース＞
以下、本実施形態におけるカードキー装置の構成を説明する。外部ケース３は図３のケース３ａと図４で示されるカバー３ｂとの二部品を組み合わせて形成される。組み合わせは、カバー３ｂのビス孔３ｆに通したビス３ｇ（図１参照）をケース３ａ側のビス孔３ｈ（図３(ａ)参照）にねじ込むことで図２(ｃ)に示される外部ケース３が形成される。
【００３８】
ケース３ａの前面、すなわち内部ユニット４の前面には内部ユニット４の出し入れを行う開口部３ｃが形成される。一方、カバー３ｂの天井には複数の判定部３ｄが設けられる。判定部３ｄは図４に示すように、長手方向Ｌにほぼ直交する方向に後述するタンブラ部材６が設置される位置に対応する位置に凹状溝に形成される。この判定部３ｄに内筒ケースタンブラ部材６が係脱することで、内部ユニット４が勝手にスライドするのを制御する。
【００３９】
カバー３ｂに図４(ｂ)に示すスライド用レール部３ｅがスライド方向に沿って設けられる。後述する変換用タンブラ１５がスライド用レール部３ｅに係脱するようになっている。変換用タンブラ１５がスライド用レール部３ｅに係合あるいは解脱する状態に関係なく内部ユニット４がスライドするのに支障を来さない。すなわち、変換用カードキー５を内部ユニット４に挿入した状態で内部ユニット４を自由にスライドできる。しかし、変換用タンブラ１５がスライド用レール部３ｅに係合している限りは、内部ユニット４を外部ケース３から取り出すことができないようになっている。
【００４０】
なお、外部ケース３には、図５(ｆ)に示す閂部材９の出没を許容するガイド溝３ｊが図３(ａ)のように設けられている。
【００４１】
＜内部ユニット＞
内部ユニット４は内部ケース７と、内部ケース７に担持されるバネ部材としての板バネ１０と、板バネ１０に支持されて内部ケース７に組み込まれるタンブラ部材６とで成る。
【００４２】
＜内部ケース＞
内部ケース７は図５(ａ)および同図(ｂ)に示すように、前面にカードキー１や変換用カードキー５を抜き差しする抜き差し口８(挿入口)が設けられる。抜き差し口８の後方には、有底の箱部７ａが形成される。箱部７ａに穿った軸孔７ｂに、長手方向Ｌに指向する二本の二点鎖線で示す平行配置した円柱棒状のタンブラ軸１１が軸支される。
【００４３】
＜板バネ＞
板バネ１０は図５(ｃ)〜同図(ｅ)のように、全体がほぼ肋骨形状に形成され、長手方向Ｌに沿う基部１０ａと、基部１０ａの両側を斜め上方に互い違いに伸ばした複数の枝部１０ｂと、基部１０ａの両端に設けた端部１０ｃとからなる。
【００４４】
端部１０ｃには２つの孔１０ｄが穿たれ、この孔１０ｄにタンブラ軸１１が挿通される。これにより、板バネ１０はタンブラ軸１１を介して内部ケース７に宙吊り状態で担持される。このとき、タンブラ軸１１には、後述するように種々の外形形状を有する板状のタンブラ１２〜１５がタンブラ軸１１に揺動可能に枢支される。
【００４５】
＜タンブラ部材＞
タンブラ部材６について説明する。タンブラ部材としての種類には、図６(ａ)に示す１番山用タンブラ１２，同図(ｂ)の２番山用タンブラ１３，同図(ｃ)の０番タンブラ１４，同図(ｄ)に示される変換用タンブラ１５がある。各タンブラ１２〜１５は上記したタンブラ軸１１に揺動可能に枢支されるための孔１２ａ〜１５ａ、カードキー1や変換用カードキー５とカム接触するカム部１２ｂ〜１５ｂが設けられる。
【００４６】
タンブラ１２，１３，１５において、孔１２ａ、１３ａ、１５ａに関してカム部１２ｂ、１３ｂ、１５ｂと反対側の端部には、判別部３ｄに係脱する爪１２ｃ、１３ｃ、１５ｃが形成される。また、１番山用タンブラ１２および２番山用タンブラ１３のカム部側には、補助爪１２ｄ、１３ｄが形成される。符合しないカードキーが挿入された場合に、爪１２ｃ、１３ｃ、１５ｃと相まって判別部３ｄに入り込み、内部ユニット４のスライドを拘束するようになっている。これにより、不用意な施解錠が行われるのが禁止される。
【００４７】
一方、０番タンブラ１４は上記のような爪を一切有しないタンブラである。判別部３ｄに入り込んだりして係脱することがない。０番タンブラ１４は判別部３ｄに対してなにも作用しないタンブラであり、１番山用タンブラ１２や２番山用タンブラ１３が設けられる位置をわからないようにする。
【００４８】
変換用タンブラ１５のカム部１５ｂ側には、補助カム部１５ｄが設けられる。補助カム部１５ｄはスライド用レール部３ｅにカム接触をしながら係脱するように形成される。該レール部３ｅに係合する場合には、その状態で内部ユニット４のスライドを許容するが、内部ユニット４が抜脱する力に対しては抵抗して抜脱を禁止する。補助カム部１５ｄが該レール部３ｅから解脱することで、内部ユニット４のスライドおよび抜脱を許容するようになっている。なお、上記の各タンブラ１２〜１５の他に、いわゆるダミーとして機能する不図示のダミータンブラも適宜に設ける。
【００４９】
上記各タンブラ１２〜１５の配列を適宜組み合わせ、タンブラ軸１１に積層配列し、板バネ１０と一体に内部ケース７に組み込むことで、内部ユニット４が形成される。この内部ユニット４を外部ケース３に組み込むと、図７(ａ)に示す構造を有するカードキー装置を組み立てることができる。なお、上記の各タンブラ１２〜１５の向きは、例えば１番山用タンブラ１２を例に挙げると、図７(ｃ)に示すように交互に配置する。
【００５０】
こうして、カードキー装置に組み込まれた各タンブラの状態を具体的に示すと、１番山用タンブラ１２については図８(ａ)、２番山用タンブラ１３は図９(ａ)、０番タンブラ１４は図１０、変換用タンブラ１５は図１１(ｂ)に示す横断面図のようになる。
【００５１】
すなわち、各タンブラ１２〜１５は板バネ１０の自由状態ではそのバネ力に付勢され、爪１２ｃ、１３ｃ、１５ｃは判別部３ｄに入り込む。一方、カム部１２ｂ、１３ｂ、１５ｂはカードキーの差し込み路(挿入路)１６に臨むこととなる。
【００５２】
＜カードキーおよび変換用カードキー＞
カードキー１および変換用カードキー５は透明の合成樹脂材を成形して形成される。カードキー１は図１２(ａ)に示す平面形状を有し、各タンブラのカム部１２ｂ〜１５ｂにカム接触し易いように、先端縁に例えば約２０°の傾斜角を有するテーパ部１ａが形成される。上面には１番山用タンブラ１２のカム部１２ｂに係合する断面山形のキー溝１ｂと、２番山用タンブラ１３のカム部１３ｂに係合する断面山形のキー溝１ｃとが刻設される。２番山用のキー溝１ｃの深さは、１番山用のキー溝１ｂのそれよりも大きく設定される。  変換用カードキー５は図１２(ｂ)に示す平面形状を有し、その上面には上記カードキー1と共通する形状のキー溝１ｂ、１ｃが配置される。カードキー1と異なる点は、変換用タンブラ１５のカム部１５ｂに係合する断面山形のキー溝１ｄが刻設される点のみである。
【００５３】
＜閂部材＞
閂部材９は図５(ｆ)および図７(ａ)に示すように、門型部９ａと、門型部９ａから伸びるＬ型部９ｂとで形成される。門型部９ａは内部ケース７の箱部７ａの両側を抱き込むように設けられる。Ｌ型部９ｂは外部ケース３のガイド溝３ｊを出没自在となるように設けられる(図３（ａ）参照)。これにより、図７(ａ)のようにカードキー１、１５が施錠位置にあるときは、Ｌ型部９ｂは外部ケース３から出っ張り、不図示の錠前を施錠する。逆に、カードキー1、１５が左方の解錠位置へスライドされると、Ｌ型部９ｂは外部ケース３内に没し、錠前を解錠する。なお、変換用カードキー５を使用して上記の解錠位置において、内部ユニット４を外部ケース３から取り出し他の内部ユニット４と交換する場合には、閂装置９は外部ケース３に取り残されるように構成される。
【００５４】
次に、カードキー装置の作用を図８〜図１１を参照して説明する。図８(ａ)の状態においてカードキー1を差し込み路１６に挿入すると、１番山用タンブラ１２は図８(ｂ)に示すように、カム部１２ｂが１番山用のキー溝１ａに乗りあがる。板バネ１０の付勢力に抗してタンブラ１２はタンブラ軸１１を中心にして反時計回りの方向へ揺動駆動される。それまで、判別部３ｄに入り込んでいた爪１２ｃが解脱する。補助爪１２ｄは判別部３ｄに入り込まない。これにより、内部ケース７はカードキー１と一体にスライドが可能な状態となり、施解錠操作が可能となる。
【００５５】
なお、キー溝が一致しない場合には、図８(ｃ)に示すように、爪１２ｃは判別部３ｄに残ったままとなり、スライド不可の状態となる。また、図示はしないが、カム部１２ｂがキー溝でないカードキー１の平坦面に乗り上げた場合には、補助爪１２ｄが判別部３ｄに入り込み、スライドを不可能にする。
【００５６】
図９(ａ)の状態において、カードキー１を挿入すると、同図(ｂ)のようにカム部１３ｂはカードキー１の２番山用のキー溝１ｃに乗り上がる。上記１番山用タンブラ１２の場合と同様にして、タンブラ１３の爪１３ｃおよび補助爪１３ｄは判別部３ｄから解脱した状態となる。これにより、それまで拘束状態にあった内部ユニット４はスライドが可能、すなわち施解錠操作が可能な状態となる。
【００５７】
なお、同図(ｃ)に示すように、キー溝１ｃと異なるキー溝に乗り上げた場合には、補助爪１３ｄは判別部３ｄに入り込む。これにより、内部ユニット４のスライド、すなわち施解錠操作は拘束される。
【００５８】
０番タンブラ１４に関しては、図１０に示すように、施解錠用カードキー１または変換用カードキー５のいずれのカードキーを挿入しても、０番タンブラ１４はカードキーの平坦面に乗り上げ揺動する。しかし、０番タンブラ１４は爪を有しないので、判別部３ｄに入り込むことはない。このため、内部ユニット４のスライドを終始拘束するようなことはない。
【００５９】
以上のように、カードキー装置はカードキー１を挿入すると、内部ユニット４をカードキー１と一体に外部ケース３に対してスライドさせることができる。その結果、閂装置９を施解錠操作することができる。
【００６０】
次に、変換用タンブラ１５については、図１１(ｂ)に示すように、タンブラ１５のカム部１５ｂは変換用カードキー５の平坦面に乗り上がる。変換用タンブラ１５は板バネ１０の付勢力に抗してタンブラ軸１１を中心に時計回りの方向へ揺動する。補助カム部１５ｄはスライド用レール部３ｅに対面接触する。これにより、内部ユニット４が左方へ抜脱するのを拘束するが、補助カム部１５ｄはスライド用レール部３ｅに沿ってスライドが可能であるので、内部ユニット４のスライドは可能にする。
【００６１】
変換用カードキー５が図１１(ａ)に示す施錠位置に挿入して使用すると、図１１(ｃ)のように通常のカードキー１が挿入された場合には、図１１(ｂ)に示すようにカム部１５ｂは変換用山のキー溝１ｄに乗り上がる。補助カム部１５ｄはスライド用レール部３ｅの接触から解脱するので、内部ユニット４の抜脱が可能な状態にできる。なお、施錠位置では内部ユニット４は取り出すことはできないようになっている。
【００６２】
この状態で変換用カードキー５を内部ユニット４と共に施錠位置から解錠位置へスライドさせると、閂装置９は解錠されると共に、内部ユニット４を変換用カードキー５を差し込んだ状態のまま外部ケース３から取り出すことができる。その結果、取り出した外部ケース３を持ち運びできると共に、別の新たな内部ユニット４に交換して外部ケース３に収納セットして使用することができる。
【００６３】
新たな内部ユニット４をセットした場合には、変換用カードキー５を挿入したまま、変換用カードキー５を内部ユニット４と共に解錠位置から施錠位置へスライドさせる。施錠位置までスライドさせた後に、変換用カードキー５だけを引き抜けば、閂装置９を施錠できる。以後、通常のカードキー１を使用してカードキー装置の施解錠操作を再び行えるようになる。
【００６４】
本実施形態によれば、従来のようにキーブランクを回転させて使用する態様のものと異なり、カードキー１をスライドすることにより施解錠操作を行う。このため、他社製品との差別化が図れ、使用感においてもスマート感覚にあふれた操作性能を得ることができる。また、カードキーの挿入方向における奥行きの浅い設置スペースがあればカードキー装置を容易に取り付けが可能となる。また変換用カードキー５を使用することで、内部ユニット４を交換してカードキー装置を利用でき、セキュリティを確保しつつ便利性の良いカードキー装置を得ることができる。また、多数のタンブラを使用しているが、一枚の板バネ１０ですべてのタンブラ１２〜１５の揺動を制御するため、部品点数の大幅な削減が可能で、構成のシンプルなカードキー装置を実現できる。さらに、カードキー１、５を透明にすることで、デザイン性を向上できる。また、変換用カードキー５を施解錠用カードキー１と同じカードを使用して製造できるので、コスト安価なカードキー装置を得ることができる。
【００６５】
本発明は、上記実施形態に限られるものではなく、その趣旨及び技術思想を逸脱しない範囲で種々の変形が可能である。
【００６６】
例えば、上記実施形態ではタンブラ軸１１を２本設けたが、１本にして各タンブラの向きを交互に配置しなくてもよい。また、変換用タンブラ１５を設ける位置はスライド方向のいずれの位置であってもよい。
【００６７】
また、上記では閂部材９をスライドさせて錠前に施解錠させる態様であったが、閂部材としては、例えば、外部ケース３と内部ユニット４との間に、外部ケース３または内部ユニット４のいずれか一方にラック歯を、いずれか他方にピニオン歯車を設けたラック・アンド・ピニオン機構を使用して内部ユニット４のスライドを回転運動に変換する閂機構としてもよい。
【００６８】
また、カードキー１、５を合成樹脂材を使用して形成したが、メタルを使用してもよい。また、板バネ１０はタンブラ軸１１を利用して内部ケース７の箱部７ａに軸支したが、タンブラ軸１１を介することなく箱部７ａに取り付ける構成にしてもよい。
【００６９】
また、上記では、バネ部材として一本の板バネ１０を使用したが、タンブラごとにタンブラを揺動付勢する板バネ、コイルバネ等を設ける態様とすることも可能である。
【産業上の利用可能性】
【００７０】
本発明はオフィス向けの机、ワゴン、ロッカー、キャビネット、食器棚等の各種装置類に採用される施解錠装置としてのカードキー装置に利用される。
【符号の説明】
【００７１】
１  カードキー（施解錠カードキー）
２  カードキー装置本体
３  外部ケース
３ｄ  判別部
３ｅ  スライド用レール部
４  内部ユニット
５  変換用カードキー
６  タンブラ部材
７  内部ケース
７ａ  箱部
８  抜き差し口(挿入口)
９  閂部材(デッドボルト)
１０  板バネ
１０ａ  基部
１０ｂ  枝部
１１  タンブラ軸
１２  １番山用タンブラ
１３  ２番山用タンブラ
１４  ０番タンブラ
１５  変換用タンブラ
１５ｄ  補助カム部
１６  差し込み路
Ｌ  長手方向
【図１】
2010203106.tif 000003
【図２】
2010203106.tif 000004
【図３】
2010203106.tif 000005
【図４】
2010203106.tif 000006
【図５】
2010203106.tif 000007
【図６】
2010203106.tif 000008
【図７】
2010203106.tif 000009
【図８】
2010203106.tif 000010
【図９】
2010203106.tif 000011
【図１０】
2010203106.tif 000012
【図１１】
2010203106.tif 000013
【図１２】
2010203106.tif 000014